【手続補正書】
【提出日】平成21年5月11日(2009.5.11)
【手続補正１】
【補正対象書類名】特許請求の範囲
【補正対象項目名】全文
【補正方法】変更
【補正の内容】
【特許請求の範囲】
【請求項１】
骨の関節接合面の少なくとも一部を切除する際に用いるためのフライス加工システムであって、
上面および反対側の底面を有し、これらの間に延在する開口を持ったベースと、このベースから突出すると共に前記開口の長手方向に沿って延在するブラケットとを具有するテンプレートと、
このテンプレートを骨に対して取り外し可能に取り付けるための手段と、
前記ブラケットに移動可能に取り付けられ、前記テンプレートの開口の少なくとも一部を横切って突出し、前記テンプレートの開口の少なくとも一部を横切って選択的に移動可能な案内と、
この案内に取り付けられ、当該案内の長手方向の少なくとも一部に沿って選択的に移動できる回転可能なフライスと
を具有することを特徴とするフライス加工システム。
【請求項２】
前記底面の下に延在するように前記ベースから突出する少なくとも２本の間隔をあけた支持脚部をさらに具有することを特徴とする請求項１に記載のフライス加工システム。
【請求項３】
前記テンプレートを取り外し可能に取り付けるための前記手段は、
前記テンプレートに形成されて少なくとも３つの間隔をあけた取り付け穴と、
それぞれこれら取り付け穴の対応する１つを通って骨に固定されるようになっている少なくとも３つの締結具と、
を具有することを特徴とする請求項１に記載のフライス加工システム。
【請求項４】
前記案内は、前記ブラケットに連結されるキャリッジと、このキャリッジから突出して前記テンプレートの開口の少なくとも一部を横切る一対の間隔をあけたアームとを具有することを特徴とする請求項１に記載のフライス加工システム。
【請求項５】
前記フライスが配される管状スリーブを有し、この管状スリーブが連結される保持器と、
この保持器が前記案内の長手方向に沿って選択的に移動できるように当該保持器を前記案内に連結するための手段と
をさらに具有することを特徴とする請求項４に記載のフライス加工システム。
【請求項６】
前記保持器を前記案内に連結させるための手段は、
その長手方向に沿って形成された溝を有する前記案内の各アームと、
前記案内のアームの間に配される前記保持器の両側から突出し、対応するアームの前記溝内に滑動可能に配される支柱と
を具有することを特徴とする請求項５に記載のフライス加工システム。
【請求項７】
前記テンプレートの開口の一部を跨いで延在するように前記テンプレートに移動可能に取り付けられ、かつ前記フライスを支持するブレースをさらに具有することを特徴とする請求項１に記載のフライス加工システム。
【請求項８】
延在する通路を有し、前記フライスがその内側に回転可能に配され、前記ブレースに連結される管状スリーブをさらに具有することを特徴とする請求項７に記載のフライス加工システム。
【請求項９】
骨の関節接合面の少なくとも一部を切除する際に使用するためのフライス加工システムであって、
上面および反対側の底面をこれらの間に延在する開口と共に有するベースを具有するテンプレートと、
このテンプレートを骨に取り外し可能に取り付けるための手段と
前記テンプレートに移動可能に取り付けられ、前記テンプレートの開口の少なくとも一部を横切って突出し、前記テンプレートの開口の少なくとも一部を横切って選択的に移動可能な案内と、
前記テンプレートの開口の一部を覆って延在するように前記テンプレートに移動可能に取り付けられるブレースと、
このブレースおよび前記案内により支持され、少なくとも一部が前記テンプレートの開口内に配される回転可能なフライスと
を具有することを特徴とするフライス加工システム。
【請求項１０】
前記ベースの底面の下に延在するように間隔をあけて前記ベースから突出する少なくとも２本の支持脚部をさらに具有することを特徴とする請求項９に記載のフライス加工システム。
【請求項１１】
前記テンプレートを骨に取り外し可能に取り付けるための手段は、
前記テンプレートに形成された複数の取り付け穴と、
それぞれ前記取り付け穴の対応する１つを通って骨に係合するようになっている複数の締結具と
を具有することを特徴とする請求項９に記載のフライス加工システム。
【請求項１２】
前記ベースは、
前記開口を取り囲む環状のリングと、
前記環状のリングから前記開口へと間隔をあけて突出し、前記取り付け穴の対応する１つがそれぞれ延在する少なくとも３つのハブと、
を具有することを特徴とする請求項１１に記載のフライス加工システム。
【請求項１３】
前記ブレースが前記テンプレートに回転可能に取り付けられていることを特徴とする請求項９に記載のフライス加工システム。
【請求項１４】
前記ブレースが前記テンプレートに滑動可能に取り付けられていることを特徴とする請求項９に記載のフライス加工システム。
【請求項１５】
通路が延在し、フライスが回転可能に配され、ブレースに連結される管状スリーブをさらに具有することを特徴とする請求項９に記載のフライス加工システム。
【請求項１６】
前記テンプレートは、前記ベースから突出して前記開口の長手方向に沿って延在するブラケットをさらに具有し、
前記ブレースがこのブラケットに移動可能に取り付けられ、
前記ブラケットに連結され、かつブラケットの長手方向に沿って選択的に移動可能な案内をさらに具有し、前記テンプレートの開口と、前記ブレースと、前記案内とを垂直に整列させることができることを特徴とする請求項１５に記載のフライス加工システム。
【請求項１７】
前記管状スリーブを前記案内に対して移動可能に連結される保持器をさらに具有することを特徴とする請求項１６に記載のフライス加工システム。
【請求項１８】
骨の関節接合面の少なくとも一部を切除する際に使用するためのフライス加工システムであって
上面および反対側の底面をこれらの間に延在する開口と共に有するベースと、前記底面の下に突出するように前記ベースから突出する少なくとも２本の支持脚部とを具有するテンプレートと
前記テンプレートのベースの少なくとも一部を骨の上に吊り下げるように、前記少なくとも２本の支持脚部を骨の上に載置する際に、前記テンプレートを骨に取り外し可能に取り付けるための手段と、
前記テンプレートに取り付けられ、前記テンプレートの開口を横切って突出し、全体が前記ベースの第１の端部から前記ベースの第２の端部まで移動可能な案内と、
前記テンプレートの開口内で選択的に移動可能なように前記テンプレートと係合する回転可能なフライスと
を具有することを特徴とするフライス加工システム。
【請求項１９】
前記少なくとも２本の支持脚部は、前記ベースの底面から間隔をあけて突出する少なくとも３本の支持脚部を具有することを特徴とする請求項１８に記載のフライス加工システム。
【請求項２０】
前記テンプレートを取り外し可能に取り付けるための手段は、
前記テンプレートに間隔をあけて形成され、それぞれが前記支持脚部の対応する１本を通って延在する少なくとも３つの取り付け穴と、
それぞれが前記取り付け穴の対応する１つを通って骨を係合するようになっている少なくとも３つの締結具と
を具有することを特徴とする請求項１９に記載のフライス加工システム。
【請求項２１】
前記少なくとも２本の支持脚部は、前記ベースに対して一体的に形成または恒久的に装着されていることを特徴とする請求項１８に記載のフライス加工システム。
【請求項２２】
前記ベースの一部がほぼＶ字形状の輪郭を有することを特徴とする請求項１８に記載のフライス加工システム。
【請求項２３】
前記取り外し可能に取り付けるための手段は、前記テンプレートに形成された少なくとも１つの取り付け穴と、この少なくとも１つの取り付け穴を通って骨に係合するようになっている締結具とを具有することを特徴とする請求項１８に記載のフライス加工システム。
【請求項２４】
前記ベースは、
前記開口を取り囲む環状のリングと、
この環状のリングから前記開口へと間隔をあけて突出し、それぞれ対応する取り付け穴が延在する少なくとも３つのハブと
を具有することを特徴とする請求項２３に記載のフライス加工システム。
【請求項２５】
前記テンプレートに取り付けられて前記テンプレートの開口の少なくとも一部を横切って突出する細長い案内と、
前記案内に対して滑動可能に連結される保持器と、
通路が延在し、前記保持器が連結され、フライスが回転可能に配される管状スリーブとをさらに具有することを特徴とする請求項１８に記載のフライス加工システム。
【請求項２６】
骨の関節接合面の少なくとも一部を切除する際に使用するためのシステムであって、
バーが一端に取り付けられた細長い軸を具有するフライスと、
延在する通路を有し、フライスが回転可能に配される管状スリーブと、
この管状スリーブと共に延在する通路を有し、この通路内に当該管状スリーブの少なくとも一部が配され、前記管状スリーブの長手方向に沿って間隔をあけた少なくとも２つの場所に前記管状スリーブを取り外し可能に固定し得る保持器と、
この保持器が移動可能に連結される細長い案内と
を具有することを特徴とするシステム。
【請求項２７】
管状スリーブ内に配されて前記フライスを取り囲む軸受をさらに具有することを特徴とする請求項２６に記載のシステム。
【請求項２８】
前記管状スリーブの外側面にくぼんで形成され、前記管状スリーブの長手方向に沿って間隔をあけた複数の切欠きをさらに具有し、
前記保持器は、複数の切欠きの選択された１つと係合する少なくとも１つの弾性的に付勢したフィンガを具有することを特徴とする請求項２６に記載のシステム。
【請求項２９】
前記案内は、頭部と、間隔をあけてこの頭部から突出する一対のアームとを具有することを特徴とする請求項２６に記載のシステム。
【請求項３０】
前記案内の各アームは、その長手方向に沿って形成した溝を有し、
前記案内のアームの間に配される前記保持器は、前記保持器の両側から突出して対応する前記アームの溝内にそれぞれ滑動可能に配される支柱をさらに具有することを特徴とする請求項２９に記載のシステム。
【請求項３１】
上面と反対側の底面とをこれらの間に延在する開口と共に有するベースを具有するテンプレートをさらに具有し、前記案内はこのテンプレートに移動可能に取り付けられ、前記フライスの一部が前記テンプレートの開口内に配されることを特徴とする請求項２６に記載のシステム。